(57)【要約】【課題】遊技機用図柄テープの見映えを良くする技術を提供する。【解決手段】遊技機用図柄テープ８５は、図柄列が配されるとともに、一方の端部９３の上に他方の端部９４を重ね合わせて接合した帯状のものである。本発明の遊技機用図柄テープ８５は、一方の端部９３に厚さ方向に貫通する穴９１が形成されている。このように、遊技機用図柄テープ８５の一方の端部９３に穴９１が形成されていると、端部９３、９４どうしが重ね合わされていても、他方の端部９４の一方の端部９３の穴９１に対応した部分は、暗く視認されない。よって、遊技機用図柄テープ８５の見映えを良くすることができる。【選択図】  図４
2004222829.tif 000002
【特許請求の範囲】
【請求項１】
図柄列が配されるとともに、一方の端部の上に他方の端部を重ね合わせて接合した帯状の遊技機用図柄テープであり、
前記一方の端部に厚さ方向に貫通する穴が形成されていることを特徴とする遊技機用図柄テープ。
【請求項２】
図柄列が配されるとともに、一方の端部の上に他方の端部を重ね合わせて接合した帯状の遊技機用図柄テープであり、
前記一方の端部に長手方向に延びる切欠きが形成されていることを特徴とする遊技機用図柄テープ。
【発明の詳細な説明】
【０００１】
【発明の属する技術分野】本発明は、遊技機用図柄テープに関するものである。詳しくは、遊技機用図柄テープの端部どうしを接合する技術に関するものである。
【０００２】
【従来の技術】図柄列が配された帯状の遊技機用図柄テープが知られている（例えば、特許文献１）。このような遊技機用図柄テープは、スロットマシン等に用いられる。
遊技機用図柄テープは、その端部どうしを重合わせて接着した状態で、例えば、リールに装着される。遊技機用図柄テープの図柄や余白は半透明にされている。リールの裏側には、点灯して遊技機用図柄テープを明るく照らし出すバックライトが設けられている。
接着された遊技機用図柄テープの端部は剥がれやすい。このため、端部どうしを強く接着しようとすると、端部の重ね合わせ大きくしなければならない。
【０００３】
【特許文献１】
特開２００２−１７９４５号公報
【０００４】
【発明が解決しようとする課題】遊技機用図柄テープの端部の重ね合わせを大きくすると、バックライトが点灯したときに、重ね合わされた部分がその他の部分よりも暗く視認される。このため、遊技機用図柄テープの見映えが悪くなってしまう。
本発明は、かかる問題を解決するためになされたものであり、遊技機用図柄テープの見映えを良くする技術を提供することを課題とする。
【０００５】
【課題を解決するための手段および作用と効果】請求項１に記載の遊技機用図柄テープは、図柄列が配されるとともに、一方の端部の上に他方の端部を重ね合わせて接合した帯状のものである。本発明の遊技機用図柄テープは、前記一方の端部に厚さ方向に貫通する穴が形成されている。
このように、遊技機用図柄テープの一方の端部に穴が形成されていると、端部どうしが重ね合わされていても、他方の端部の一方の端部の穴に対応した部分は、暗く視認されない。よって、遊技機用図柄テープの見映えを良くすることができる。
【０００６】
請求項２に記載の遊技機用図柄テープは、図柄列が配されるとともに、一方の端部の上に他方の端部を重ね合わせて接合した帯状のものである。本発明の遊技機用図柄テープは前記一方の端部に長手方向に延びる切欠きが形成されている。このように、遊技機用図柄テープの一方の端部に切欠きが形成されていると、端部どうしが重ね合わされていても、他方の端部の一方の端部の切欠きに対応した部分は暗く視認されない。よって、遊技機用図柄テープの見映えを良くすることができる。
【０００７】
【発明の実施の形態】本発明の好適な実施形態を例示する。
（形態１）
図柄列が配されるとともに、一方の端部の上に他方の端部を重ね合わせてリールに巻着される帯状の遊技機用図柄テープであり、前記一方の端部に厚さ方向に貫通する穴が形成されていることを特徴とする遊技機用図柄テープ。
このように、遊技機用図柄テープの一方の端部に穴が形成されていると、端部どうしが重ね合わされていても、他方の端部の一方の端部の穴に対応した部分は、暗く視認されない。よって、遊技機用図柄テープの見映えを良くすることができる。
（形態２）
図柄列が配されるとともに、一方の端部の上に他方の端部を重ね合わせてリールに巻着される帯状の遊技機用図柄テープであり、前記一方の端部に長手方向に延びる切欠きが形成されていることを特徴とする遊技機用図柄テープ。
このように、遊技機用図柄テープの一方の端部に切欠きが形成されていると、端部どうしが重ね合わされていても、他方の端部の一方の端部の切欠きに対応した部分は暗く視認されない。よって、遊技機用図柄テープの見映えを良くすることができる。
（形態３）
他方の端部には、少なくとも１つの図柄が配されていることを特徴とする請求項１、請求項２、形態１、形態２のいずれかに記載の遊技機用図柄テープ。
上記の遊技機用図柄テープは、他方の端部に少なくとも１つの図柄が配されている。
（形態４）
一方の端部と他方の端部が重ね合わされた状態では、一方の端部に形成された穴上に他方の端部に配された図柄が位置することを特徴とする請求項１または形態１に記載の遊技機用図柄テープ。
上記の遊技機用図柄テープは、一方の端部に形成された穴上に他方の端部に配された図柄が位置している。このため、他方の端部に配された図柄が暗く視認されない。よって、遊技機用図柄テープの見映えを良くすることができる。
（形態５）
一方の端部と他方の端部が重ね合わされた状態では、一方の端部に形成された切欠き上に他方の端部に配された図柄が位置することを特徴とする請求項２または形態２に記載の遊技機用図柄テープ。
上記の遊技機用図柄テープは、一方の端部に形成された切欠き上に他方の端部に配された図柄が位置している。このため、他方の端部に配された図柄が暗く視認されない。よって、遊技機用図柄テープの見映えを良くすることができる。
（形態６）
請求項１、請求項２、形態１〜形態５のいずれかに記載の遊技機用図柄テープを備えた遊技機。
このように構成された遊技機によれば、遊技機用図柄テープの見映えが良いことによって、より美しい表示態様を実現することができる。
【０００８】
【実施例】
（第１実施例）
本発明を遊技機の一種であるスロットマシン１０に適用した実施例について、図面を参照しながら説明する。
図１に示されているように、スロットマシン１０の前面パネル１２は、図柄表示部１４と操作部１８を備えている。図柄表示部１４には、横の３つ並んだ左表示窓２１、中表示窓２２、右表示窓２３が設けられている。これらの表示窓２１、２２、２３の裏側には、円筒状の左リール２４、中リール２５、右リール２６が取付けられている。リール２４、２５、２６には、複数の図柄が列状に配された左リールテープ８５、中リールテープ８６、右リールテープ８７が装着されている。リール２４、２５、２６が停止している状態では、表示窓２１、２２、２３のそれぞれにリールテープ８５、８６、８７に配された図柄の内の３つが縦に並んで表示される。
【０００９】
操作部１８に設けられている始動レバー６１が操作されると、リール２４、２５、２６が縦下方向に回転し、表示窓２１、２２、２３に図柄が変動表示される。リール２４、２５、２６が回転している状態で左リール停止ボタン６２、中リール停止ボタン６３、右リール停止ボタン６４が操作されると、左リール２４、中リール２５、右リール２６がそれぞれ別個に停止する。そして、停止した図柄の組合せが所定のものであった場合に、メダルを払出したり、遊技者にとって有利な遊技状態（例えば、ビッグボーナスゲーム）に移行したりする。
【００１０】
図２に示されているように、リールテープ８５、８６、８７は帯状であり、その表面には、「ベル」、「スイカ」、「数字の７」等の図柄が配されている。リールテープ８５、８６、８７の図柄は、半透明とされている。余白部分は半透明の白色とされている。リールテープ８５、８６、８７の一端部９３には、略矩形状の穴９１が形成されている。リールテープ８５、８６、８７の他端部９４の裏面（図柄が配されているのと反対側の面）には、３つの粘着テープ９２が接着されている。
【００１１】
左リール２４について説明する。なお、中リール２５、右リール２６の構成は左リール２４と同じなので、それらの説明は省略する。
図３に示されているように、左リール２４は、外筒部７１と、この外筒部７１と軸部２４ａとを結ぶ放射状に配置された５本のスポーク２４ｂとを備えている。外筒部７１は、幅が狭い２つの円筒面７２と、これら円筒面７２を連結する複数のバー７３から構成されている。軸部２４ａは、ステッピングモータ７８の回転軸に取付けられている。ステッピングモータ７８の回転軸が回転すると、左リール２４も回転する。
左リール２４の内部にランプケース８３が配置されている。ランプケース８３は、上下方向に並ぶ３つの部屋８３ａ、８３ｂ、８３ｃに分割されている。これらの部屋８３ａ、８３ｂ、８３ｃの位置が、左表示窓２１に表示される上段、中段、下段の３つの図柄に対応している。部屋８３ａ、８３ｂ、８３ｃの内部には、バックランプ８４が装着されている。
【００１２】
左リールテープ８５の裏面の両側端部には、粘着テープ（図示省略）が接着されている。この粘着テープが円筒面７２に接着されることにより、左リールテープ８５が左リール２４に装着される。そしてその際には、図４に示されているように、左リールテープ８５の一端部９３に他端部９４を重ね合わせる。左リールテープ８５の一端部９３と他端部９４を重ね合わせると、粘着テープ９２によって一端部９３と他端部９４が接着される。
図５に示されているように、左リールテープ８５の一端部９３と他端部９４が接着されると、一端部９３に配されているベル図柄９５およびその周囲は、穴９１の上に配置される。すなわち、穴９１を設けたことにより、バックランプ８４が点灯したときに、ベル図柄９５とその周囲が暗く視認されるのを防止できる。よって、左リールテープ８５の見映えを良くすることができる。
中リールテープ８６、右リールテープ８７も、上記の左リールテープ８５と同様にして、それぞれ中リール２５、右リール２６に装着される。
【００１３】
穴９１を設けたことにより、一端部９３と他端部９４が重ね合わされた部分を軽くすることができる。重ね合わされた部分を軽くすることができると、リールの回転バランスが向上し、リール２４、２５、２６の脱調を防止することができる。脱調とは、ステッピングモータに駆動される回転系において、制御パルスに対応した回転の同期が失われることである。
図２、図４、図５に良く示されているように、粘着テープ９２は、リールテープ８５、８６、８７の他端部９４の縁部分に配置されている。従って、穴９１を設けても、リールテープ８５、８６、８７の一端部９３と他端部９４の接着強度は十分に確保される。
【００１４】
（第２実施例）
本発明の他の実施例について説明する。なお、以下においては、第１実施例と異なる、本実施例として特徴的な部分についてのみを説明する。
図６に示されているように、左リールテープ８５の一端部９３には、切欠き９７が設けられている。左リールテープ８５を左リール２４に装着する際には、一端部９３に他端部９４を重ね合わせる。一端部９３と他端部９４を重ね合わせると、粘着テープ９２によって一端部９３と他端部９４が接着される。
【００１５】
図７に示されているように、左リールテープ８５の一端部９３と他端部９４が接着されると、一端部９３に配されているベル図柄９５およびその周囲は、切欠き９７の上に配置される。すなわち、切欠き９７を設けたことにより、バックランプ８４が点灯したときに、ベル図柄９５とその周囲が暗く視認されるのを防止できる。よって、左リールテープ８５の見映えを良くすることができる。
第１実施例と同様に、切欠き９７を設けたことにより、一端部９３と他端部９４が重ね合わされた部分が軽くなる。よって、リール２４、２５、２６の脱調を防止することができる。また、粘着テープ９２は、一端部９３の縁部分に配置されている。従って、切欠き９７を設けても、一端部９３と他端部９４の接着強度は十分に確保される。
【００１６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時の請求項記載の組み合わせに限定されるものではない。また、本明細書または図面に例示した技術は複数目的を同時に達成するものであり、そのうちの一つの目的を達成すること自体で技術的有用性を持つものである。
従って、例えば、以下に記載するように構成することもできる。
【００１７】
（１）リールテープ８５、８６、８７が装着されるのは、リール２４、２５、２６に限られない。例えば、複数のローラ間にリールテープ８５、８６、８７を張り渡してローラを回転させ、図柄が変動表示されるようにすることもできる。
【図面の簡単な説明】
【図１】第１実施例に係るスロットマシンの正面図。
【図２】第１実施例に係るリール帯の説明図。
【図３】第１実施例に係るリールの斜視図。
【図４】第１実施例に係るリールテープの端部の重合わせについての説明図。
【図５】同上。
【図６】第２実施例に係るリールテープの端部の重合わせについての説明図。
【図７】同上。
【符号の説明】
１０：スロットマシン
１２：前面パネル
１４：図柄表示部
１８：操作部
２１：左表示窓
２２：中表示窓
２３：右表示窓
２４：左リール、２４ａ：軸部、２４ｂ：スポーク
２５：中リール
２６：右リール
６１：始動レバー
６２：左リール停止ボタン
６３：中リール停止ボタン
６４：右リール停止ボタン
７１：外筒部
７２：円筒面
７３：バー
７８：ステッピングモータ
８３：ランプケース
８３ａ、８３ｂ、８３ｃ：部屋
８４：バックランプ
８５：左リールテープ
８６：中リールテープ
８７：右リールテープ
９１：穴
９２：粘着テープ
９３：一端部
９４：他端部
９５：ベル図柄
９７：切欠き
【図１】
2004222829.tif 000003
【図２】
2004222829.tif 000004
【図３】
2004222829.tif 000005
【図４】
2004222829.tif 000006
【図５】
2004222829.tif 000007
【図６】
2004222829.tif 000008
【図７】
2004222829.tif 000009